【手続補正書】
【提出日】平成20年4月14日(2008.4.14)
【手続補正１】
【補正対象書類名】特許請求の範囲
【補正対象項目名】全文
【補正方法】変更
【補正の内容】
【特許請求の範囲】
【請求項１】
最大約８ｃｍＨ２Ｏまで加圧された気体流を発生させるための流れ発生装置と、
該流れ発生気に連結されているとともに、使用中に使用者の気道に加圧ガスを供給する構造を持つユーザーインターフェースと、
を備えたことを特徴とする睡眠障害者治療システム。
【請求項２】
請求項１記載のシステムにおいて、
前記流れ発生装置は、前記ユーザーインターフェースに直接取り付けられたモータを有することを特徴とする睡眠障害者治療システム。
【請求項３】
請求項１又は２のいずれかに記載のシステムにおいて、
前記使用者の睡眠パラメータを表示する信号を発生させるモニターをさらに備えていることを特徴とする睡眠障害者治療システム。
【請求項４】
請求項３記載のシステムにおいて、
前記睡眠パラメータは、前記使用者の呼吸周期を表現するものであることを特徴とする睡眠障害者治療システム。
【請求項５】
請求項３又は４のいずれかに記載のシステムにおいて、
前記信号は、前記使用者の呼吸周期中における吸息と呼息との間の変化を表すように設定されていることを特徴とする睡眠障害者治療システム。
【請求項６】
請求項記５載のシステムにおいて、
前記流れ発生装置は、前記使用者の吸息中に、前記使用者の呼息中に供給される前記加圧ガスの大きさよりも高い前記加圧ガスの大きさが実現されるように構成されていることを特徴とする睡眠障害者治療システム。
【請求項７】
請求項５又は６のいずれかに記載のシステムにおいて、
前記使用者の吸息中に供給される前記加圧ガスの大きさは、６ｃｍＨ２Ｏ以下であることを特徴とする睡眠障害者治療システム。
【請求項８】
請求項５から７のいずれか一項に記載のシステムにおいて、
加圧空気のパルスは、前記使用者の吸息中に与えられることを特徴とする睡眠障害者治療システム。
【請求項９】
請求項５から８のいずれか一項に記載のシステムにおいて、
前記使用者の吸息中に供給される加圧ガスの平均の大きさは、約３〜６ｃｍＨ２Ｏであることを特徴とする睡眠障害者治療システム。
【請求項１０】
請求項５から９のいずれか一項に記載のシステムにおいて、
前記使用者の呼息中に供給される加圧ガスの大きさは、無視できる若しくはゼロであることを特徴とする睡眠障害者治療システム。
【請求項１１】
請求項１から４のいずれか一項に記載のシステムにおいて、
前記流れ発生装置は、前記使用者の呼吸周期全体の間で、略一定の大きさの前記加圧ガスを供給するように構成されていることを特徴とする睡眠障害者治療システム。
【請求項１２】
請求項４記載のシステムにおいて、
前記睡眠パラメータは、前記使用者のいびきパラメータを含んでおり、該いびきパラメータが規定量よりも大きいと、前記流れ発生装置が加圧ガスを生成することを特徴とする睡眠障害者治療システム。
【請求項１３】
請求項１２記載のシステムにおいて、
前記いびきパラメータが前記規定量よりも大きいことが初期表示されると、最小ガス圧力が前記使用者に供給されることを特徴とする睡眠障害者治療システム。
【請求項１４】
請求項１３記載のシステムにおいて、
流れているガスの圧力は、監視された前記いびきパラメータが前記規定量未満になるまで増大されることを特徴とする睡眠障害者治療システム。
【請求項１５】
請求項１４記載のシステムにおいて、
前記流れているガスの圧力は、監視された前記いびきパラメータが前記規定量よりも大きくなると、連続的又は段階的に増大されることを特徴とする睡眠障害者治療システム。
【請求項１６】
請求項１３から１５のいずれか一項に記載のシステムにおいて、
前記流れ発生装置が前記最小圧力よりも大きい所定レベルで前記加圧ガスを前記使用者に供給しており、監視された前記いびきパラメータが前記規定量未満であることを前記モニターが表示している場合に、前記加圧ガスを下げることが可能であることを特徴とする睡眠障害者治療システム。
【請求項１７】
請求項１３から１６のいずれか一項に記載のシステムにおいて、
ガス圧力が最大圧力以上に増大した場合、表示装置が、ＯＳＡのために前記使用者を診断又は治療する必要がある可能性を示す旨の信号を発生するように設定されていることを特徴とする睡眠障害者治療システム。
【請求項１８】
請求項１７記載のシステムにおいて、
患者に供給する前記加圧ガスの大きさを記録する記憶装置をさらに備えており、
前記表示装置は、前記使用者が治療活動の規定回数以上にわたって前記最大圧力又はそれよりも高い圧力を受けていることを前記記録装置が示す場合に前記警告を与えるように設定されていることを特徴とする睡眠障害者治療システム。
【請求項１９】
請求項１８記載のシステムにおいて、
前記治療活動の規定回数は、２回或いはそれ以上であることを特徴とする睡眠障害者治療システム。
【請求項２０】
請求項１７から１９のいずれか一項に記載のシステムにおいて、
規定された前記最大圧力は、約６ｃｍＨ２Ｏよりも大きいことを特徴とする睡眠障害者治療システム。
【請求項２１】
請求項１から２０のいずれか一項に記載のシステムにおいて、
前記使用者に適用する前に加圧ガスをろ過する細菌ろ過器又はろ過作用システムをさらに備えていることを特徴とする睡眠障害者治療システム。
【請求項２２】
請求項１から２１のいずれか一項に記載のシステムにおいて、
患者インターフェースに備えられ、前記使用者の呼息中開放されている弁をさらに備えていることを特徴とする睡眠障害者治療システム。
【請求項２３】
請求項１から２１のいずれか一項に記載のシステムにおいて、
前記流れ発生装置を操作する制御装置をさらに備えていることを特徴とする睡眠障害者治療システム。
【請求項２４】
請求項２３記載のシステムにおいて、
前記操作装置は、フレキシブル部品を有しており、
該フレキシブル部品は、前記使用者の上に前記ユーザーインターフェースを支持させるように構成されたヘッドギアに内蔵されていることを特徴とする睡眠障害者治療システム。
【請求項２５】
請求項２４記載のシステムにおいて、
前記ヘッドギアは、相変化繊維及び導電繊維の両方又は何れか一方からなる織物によって構成されていることを特徴とする睡眠障害者治療システム。
【請求項２６】
使用者のいびきパラメータを監視するステップと、
該監視されたいびきパラメータに基づいて、陽圧を受けたガスを前記使用者の気道に発生させるステップと、
を備えることを特徴とする閉塞型睡眠時無呼吸症候群の発症の可能性を予測する方法。
【請求項２７】
請求項２６記載の方法において、
加圧ガスを、前記監視されたいびきパラメータが規定量よりも小さい場合、発生させないステップを備えていることを特徴とする閉塞型睡眠時無呼吸症候群の発症の可能性を予測する方法。
【請求項２８】
請求項２６又は２７のいずれかに記載の方法において、
前記監視されたいびきパラメータが規定量よりも大きい場合に、前記陽圧を受けたガスを前記使用者の気道に発生させるステップを備えていることを特徴とする閉塞型睡眠時無呼吸症候群の発症の可能性を予測する方法。
【請求項２９】
請求項２６から２８のいずれか一項に記載の方法において、
陽圧ガスが規定された最大圧力よりも大きい場合に、閉塞型睡眠時無呼吸症候群のために前記使用者を診断又は治療する必要がある可能性を表示するステップをさらに備えることを特徴とする閉塞型睡眠時無呼吸症候群の発症の可能性を予測する方法。
【請求項３０】
請求項２９記載の方法において、
前記表示が、医師の診察を受けることを勧告するメッセージを含むステップを備えていることを特徴とする閉塞型睡眠時無呼吸症候群の発症の可能性を予測する方法。
【請求項３１】
請求項２９又は３０のいずれかに記載の方法において、
前記表示が、視覚信号及び音声信号の両方又は何れか一方を含むステップを備えていることを特徴とする閉塞型睡眠時無呼吸症候群の発症の可能性を予測する方法。
【請求項３２】
請求項２９から３０のいずれかに記載の方法において、
前記最大圧力は６ｃｍＨ２Ｏよりも大きくするステップを備えていることを特徴とする閉塞型睡眠時無呼吸症候群の発症の可能性を予測する方法。
【請求項３３】
請求項３２記載の方法において、
前記陽圧ガスが６ｃｍＨ２Ｏ以下まで加圧されている場合、閉塞型睡眠時無呼吸症候群の存在を表示しないステップを備えていることを特徴とする閉塞型睡眠時無呼吸症候群の発症の可能性を予測する方法。
【請求項３４】
請求項３３記載の方法において、
閉塞型睡眠時無呼吸症候群でないことを表示するステップをさらに備えることを特徴とする閉塞型睡眠時無呼吸症候群の発症の可能性を予測する方法。
【請求項３５】
請求項２８から３４のいずれか一項に記載の方法において、前記加圧ガスの適用を、手動で調整するステップを備えていることを特徴とする閉塞型睡眠時無呼吸症候群の発症の可能性を予測する方法。
【請求項３６】
請求項２８から３５のいずれか一項に記載の方法において、
前記いびきパラメータは、音声及び圧力の両方又は何れか一方に基づくものとするステップを備えていることを特徴とする閉塞型睡眠時無呼吸症候群の発症の可能性を予測する方法。
【請求項３７】
いびきをかく人の全ての治療活動に対して、いびきをかく人の呼吸周期の全体の中で、約８ｃｍＨ２Ｏ以下の範囲を用いて前記いびきをかく人の気道に陽性気道圧を適用するステップを備えることを特徴とするいびき治療方法。
【請求項３８】
請求項３７記載の方法において、
前記範囲は、約６ｃｍＨ２Ｏ以下とするステップを備えていることを特徴とするいびき治療方法。
【請求項３９】
請求項３７又は３８のいずれかに記載の方法において、
治療活動中に適用される圧力範囲の平均値は、約３から６ｃｍＨ２Ｏの間とするステップを備えていることを特徴とするいびき治療方法。
【請求項４０】
請求項３７から３９のいずれか一項に記載の方法において、
前記いびきをかく人を、閉塞型睡眠時無呼吸症候群でない人とするステップを備えていることを特徴とするいびき治療方法。
【請求項４１】
使用者のいびきの治療用に構成されたいびき治療ユニットと、
前記使用者の閉塞型睡眠時無呼吸症候群及びいびきの治療用に構成された閉塞型睡眠時無呼吸症候群／いびき治療ユニットと、
前記いびき治療ユニット及び前記閉塞型睡眠時無呼吸症候群／いびき治療ユニットと交互に協働するアップグレードベースユニットと、
を備えたことを特徴とする睡眠障害が徐々に悪化している使用者を治療するためのシステム。
【請求項４２】
請求項４１記載のシステムにおいて、
前記アップグレードベースユニットは、ユーザーインターフェースを備えており、
前記いびき治療ユニットは、８ｃｍＨ２Ｏ以下に加圧された気体流を発生させるための流れ発生装置を備えており、
前記閉塞型睡眠時無呼吸症候群／いびき治療ユニットは、４〜２０ｃｍＨ２Ｏの範囲内で加圧されたガスを発生させるように設定された流れ発生装置を備えている、
ことを特徴とする睡眠障害が徐々に悪化している使用者を治療するためのシステム。
【請求項４３】
請求項４２記載のシステムにおいて、
前記インターフェースは、前記いびき治療ユニットのモータに直接載せるように構成されているとともに、前記閉塞型睡眠時無呼吸症候群／いびき治療ユニットに連通しているガス供給導管と協働するように構成されていることを特徴とする睡眠障害が徐々に悪化している使用者を治療するためのシステム。
【請求項４４】
いびきをかく人の気道に最小圧力を適用するステップと、前記いびきをかく人のいびきパラメータを監視するステップと、前記いびきパラメータを規定量と比較するステップとを備えたいびき治療方法であって、
前記いびきパラメータが前記規定量よりも大きい場合、所定の増分だけ前記最小圧力を増加させるステップと、前記いびきパラメータが前記規定量よりも小さい場合、少なくとも前記最小圧力を維持するステップと、を備えていることを特徴とするいびき治療方法。
【請求項４５】
請求項４４記載の方法において、
前記圧力が規定された最大圧力よりも大きく増加した場合に警告を発するステップをさらに備えることを特徴とするいびき治療方法。
【請求項４６】
請求項４４又は４５のいずれかに記載の方法において、
前記いびきをかく人を、閉塞型睡眠時無呼吸症候群でない人とするステップを備えていることを特徴とするいびき治療方法。
【請求項４７】
陽性気道圧を適用する手段と、
所定基準に準じて、閉塞型睡眠時無呼吸症候群が発症し得るであろうことを判断する手段と、
閉塞型睡眠時無呼吸症候群の診断又は治療の必要の可能性に応じて警告を発する手段と、
を備えることを特徴とするいびきをかく人を管理するシステム。
【請求項４８】
患者インターフェースを設けるステップと、
いびきの治療に十分ではあるが、閉塞型睡眠時無呼吸症候群の治療には十分でない圧力範囲内で前記患者インターフェースにガスを適用するステップと、
を備えることを特徴とする閉塞型睡眠時無呼吸症候群の治療のために使用者を順応させる方法。
【請求項４９】
請求項４８記載の方法において、
前記した方法の処置は、使用者の中で閉塞型睡眠時無呼吸症候群が発症する前に実施することを特徴とする閉塞型睡眠時無呼吸症候群の治療のために使用者を順応させる方法。